(57)【要約】【課題】  １つのモータで室内の空気の排出と室外の空気の吸入とを同時に行い、ダクト内に設置可能であり、空気が交換器内を直交しないことで熱交換の性能が高く、更に集中制御が不要な全熱交換器を提供する。【解決手段】  全熱交換器１は、外周フィン４２とその外周フィン４２と逆向きの内周フィン４４とを設けた送風ファン４０が設けられており、その送風ファン４０を回転させることによって、エレメント６０を介した室内の空気２の排出と室外の空気３の吸入とを同時に行うことにより、１つのモータ４８で同軸方向に対向流を発生させることから、従来の２つのモータで対向流を発生させることに比べてコストを削減し、省エネルギー化を図ることも可能である。【選択図】図４
2018059692.tif 000002
【特許請求の範囲】
【請求項１】
室内の空気をエレメントを介して排出するとともに、室外の空気を前記エレメントを介して吸入し、前記エレメント内で、排出する空気と吸入する空気との間で全熱交換を行う全熱交換器であって、
外周フィンとその外周フィンと逆向きの内周フィンとを設けた送風ファンが設けられており、
その送風ファンを回転させることによって、前記エレメントを介した前記室内の空気の排出と前記室外の空気の吸入とを同時に行うことを特徴とする全熱交換器。
【請求項２】
前記送風ファンは、外周側リングと、当該外周側リングより小径の内周側リングとが同心円上に設けられ、
前記外周側リングの外側には外周フィンが設けられ、前記外周側リングと前記内周側リングとの間には、前記外周フィンと逆向きに内周フィンが設けられていることを特徴とする請求項１に記載の全熱交換器。
【請求項３】
前記エレメントは、中央に前記室内の空気が流入する層と、この層の左右に前記室外の空気が流入する層とで三層を形成し、
前記室内の空気が流入する層には室内側吸込口が形成され、前記室外の空気が流入する層には室外側吸込口が形成されており、
室内外の空気を分離させるシュラウドは、少なくとも円筒状のケース本体と、当該ケース本体内に設けられる導風壁とで構成し、
前記導風壁の一方に設けられる接続口が、前記外周側リングの直径と同じ大きさに形成され、
前記接続口を前記外周側リングに接続すると、
前記導風壁の内側では、室内又は室外の空気のうちの一方の空気が前記室内側吸込口に送風され、
前記導風壁の外側では、他方の空気が前記室外側吸込口に送風されることを特徴とする請求項１又は２に記載の全熱交換器。
【請求項４】
湿気や熱の交換を行う素子版は、空気の流れを規制するセパレータと、空気内の湿気や熱を透過可能とする透湿膜シートとで構成し、
前記室内の空気が流入する素子版と、前記室外の空気が流入する素子版とを交互に積層して前記エレメントが形成されてなることを特徴とする請求項１乃至３の何れかに記載の全熱交換器。
【請求項５】
室内の空気をエレメントを介して排出するとともに、室外の空気を前記エレメントを介して吸入し、前記エレメント内で、排出する空気と吸入する空気との間で全熱交換を行う全熱交換器であって、
室内外の空気を分離する仕切り板と、当該仕切り板を挟んで表裏に設けられる２つのファンとを有し、
前記ファンを回転させることによって、前記エレメントを介した前記室内の空気の排出と前記室外の空気の吸入とを同時に行うことを特徴とする全熱交換器。
【請求項６】
湿気や熱の交換を行う素子版は、空気の流れを規制するセパレータと、空気内の湿気や熱を透過可能とする透湿膜シートとで構成し、
前記室内の空気が流入する素子版と、前記室外の空気が流入する素子版とを交互に積層して前記エレメントが構成されてなることを特徴とする請求項５に記載の全熱交換器。
【発明の詳細な説明】
【技術分野】
【０００１】
本発明は、室内外の空気間で熱交換を行う全交換器に関するものである。
【背景技術】
【０００２】
従来より、室内外の空気間で熱や冷気の熱交換を行う熱交換器としては、回転式の熱交換器が知られているが、この回転式の熱交換器では、装置が大型であることからダクト内に設置することが困難であった。
【０００３】
これに対し、装置が小型でダクト内に設置可能なものとしては、静止式の熱交換器が知られている（特許文献１）。
【先行技術文献】
【特許文献】
【０００４】
【特許文献１】特開２００２−２６６７９１号公報
【発明の概要】
【発明が解決しようとする課題】
【０００５】
しかしながら、このような静止式の熱交換器では、装置が小型でダクト内に設置可能であるものの、空気が交換器内を直交する構造であることから熱交換の性能が低く、また複数台を設置した場合には、全部の熱交換器を集中制御することが困難であった。
【０００６】
そこで、本発明の目的は、上記従来の熱交換器の問題を解消し、１つのモータで室内の空気の排出と室外の空気の吸入とを同時に行い、ダクト内に設置可能であり、空気が交換器内を直交しないことで熱交換の性能が高く、更に集中制御が不要な全熱交換器を提供することにある。
【課題を解決するための手段】
【０００７】
本発明のうち、請求項１に記載された発明は、室内の空気をエレメントを介して排出するとともに、室外の空気を前記エレメントを介して吸入し、前記エレメント内で、排出する空気と吸入する空気との間で全熱交換を行う全熱交換器であって、
外周フィンとその外周フィンと逆向きの内周フィンとを設けた送風ファンが設けられており、
その送風ファンを回転させることによって、前記エレメントを介した前記室内の空気の排出と前記室外の空気の吸入とを同時に行うことを特徴とするものである。
【０００８】
請求項２に記載された発明は、請求項１に記載の発明に加え、前記送風ファンは、外周側リングと、当該外周側リングより小径の内周側リングとが同心円上に設けられ、
前記外周側リングの外側には外周フィンが設けられ、前記外周側リングと前記内周側リングとの間には、前記外周フィンと逆向きに内周フィンが設けられていることを特徴とするものである。
【０００９】
請求項３に記載された発明は、請求項１又は２に記載の発明に加え、前記エレメントは、中央に前記室内の空気が流入する層と、この層の左右に前記室外の空気が流入する層とで三層を形成し、
前記室内の空気が流入する層には室内側吸込口が形成され、前記室外の空気が流入する層には室外側吸込口が形成されており、
室内外の空気を分離させるシュラウドは、少なくとも円筒状のケース本体と、当該ケース本体内に設けられる導風壁とで構成し、
前記導風壁の一方に設けられる接続口が、前記外周側リングの直径と同じ大きさに形成され、
前記接続口を前記外周側リングに接続すると、
前記導風壁の内側では、室内又は室外の空気のうちの一方の空気が前記室内側吸込口に送風され、
前記導風壁の外側では、他方の空気が前記室外側吸込口に送風されてなることを特徴とするものである。
【００１０】
請求項４に記載された発明は、請求項１乃至３の何れかに記載の発明に加え、湿気や熱の交換を行う素子版は、空気の流れを規制するセパレータと、空気内の湿気や熱を透過可能とする透湿膜シートとで構成し、
前記室内の空気が流入する素子版と、前記室外の空気が流入する素子版とを交互に積層して前記エレメントが形成されてなることを特徴とするものである。
【００１１】
請求項５に記載された発明は、室内の空気をエレメントを介して排出するとともに、室外の空気を前記エレメントを介して吸入し、前記エレメント内で、排出する空気と吸入する空気との間で全熱交換を行う全熱交換器であって、
室内外の空気を分離する仕切り板と、当該仕切り板を挟んで表裏に設けられる２つのファンとを有し、
前記ファンを回転させることによって、前記エレメントを介した前記室内の空気の排出と前記室外の空気の吸入とを同時に行うことを特徴とするものである。
【００１２】
請求項６に記載された発明は、請求項５に記載の発明に加え、湿気や熱の交換を行う素子版は、空気の流れを規制するセパレータと、空気内の湿気や熱を透過可能とする透湿膜シートとで構成し、
前記室内の空気が流入する素子版と、前記室外の空気が流入する素子版とを交互に積層して前記エレメントが構成されてなることを特徴とするものである。
【発明の効果】
【００１３】
請求項１に記載された発明は、１つのモータで同軸方向に対向流を発生させることから、従来の２つのモータで対向流を発生させることに比べてコストを削減し、省エネルギー化を図ることが可能である。
【００１４】
請求項２に記載された発明は、ダクト内に設置可能であり、空気が交換器内を直交しないことで熱交換の性能が高く、更に集中制御が不要である。
【００１５】
請求項３に記載された発明は、室内の空気と室外の空気とを層状に整流させることが可能となる。
【００１６】
請求項４に記載された発明は、室内の空気と室外の空気とを交互に積層した対向流にすると共に、各層内の流れを均一化することが可能となり、熱交換を効率良く行うことが可能となる。
【００１７】
請求項５に記載された発明は、１つのモータで対向流を発生させることから、従来の２つのモータで対向流を発生させることに比べてコストを削減し、省エネルギー化を図ることが可能である。
【００１８】
請求項６に記載された発明は、室内の空気と室外の空気とを交互に積層した対向流にすると共に、各層内の流れを均一化することが可能となり、熱交換を効率良く行うことが可能となる。
【図面の簡単な説明】
【００１９】
【図１】全熱交換器を示す説明図である。
【図２】図１におけるＡ−Ａ断面で室内の空気の流れを示す説明図である。
【図３】図１におけるＡ−Ａ断面で室外の空気の流れを示す説明図である。
【図４】全熱交換器の構成を示す説明図である。
【図５】室内側カバーを示す説明図である。
【図６】スペーサを示す説明図である。
【図７】カバーベースを示す説明図である。
【図８】カバーベースにスペーサが取り付けられた状態を示す説明図である。
【図９】（ａ）は送風ファンを示し、（ｂ）は（ａ）のＢ−Ｂ断面を示す説明図である。
【図１０】（ａ）はシュラウドを示し、（ｂ）は（ａ）のＣ−Ｃ断面を示し、（ｃ）はシュラウドの背面側を示す説明図である
【図１１】エレメントを示す説明図である。
【図１２】（ａ）は屋内の空気が流入する素子版を示し、（ｂ）は屋外の空気が流入する素子版を示す説明図である。
【図１３】エレメント内の各素子版の構成を示す説明図である。
【図１４】導風盤を示す説明図である。
【図１５】全熱交換器の変更例を示す説明図である。
【図１６】エレメントの変更例を示す説明図である。
【図１７】（ａ）は屋内の空気が流入する素子版を示し、（ｂ）は屋外の空気が流入する素子版を示す説明図である。
【図１８】エレメント内の各素子版の構成を示す説明図である。
【発明を実施するための形態】
【００２０】
以下、本発明の全熱交換器の一実施形態について、図面に基づいて詳細に説明する。
図１は、全熱交換器を示す説明図である。図２は、図１におけるＡ−Ａ断面で室内の空気の流れを示す説明図である。図３は、図１におけるＡ−Ａ断面で室外の空気の流れを示す説明図である。図４は、全熱交換器の構成を示す説明図である。図５は、室内側カバーを示す説明図である。図６は、スペーサを示す説明図である。図７は、カバーベースを示す説明図である。図８は、カバーベースにスペーサが取り付けられた状態を示す説明図である。図９は、送風ファンを示す説明図である。図１０は、シュラウドを示す説明図である。図１１は、エレメントを示す説明図である。図１２は、屋内の空気が流入する素子版と、屋外側の空気が流入する素子版とを示す説明図である。図１３は、エレメント内の各素子版の構成を示す説明図である。図１４は導風盤を示す説明図である。
【００２１】
先ず初めに、図１に示す全熱交換器１はダクト内に設置され、図２，３に示すように、室内の空気２（２ａ〜２ｃ）をエレメント６０を介して排出するとともに、室外の空気３（３ａ〜３ｃ）をエレメント６０を介して吸入し、エレメント６０内で、排出する空気２と吸入する空気３との間で全熱交換を行うものである。
そして、図４に示すように、この全熱交換器１は、室内側カバー１０と、この室内側カバー１０内で室内外の空気が混合される事を防止するスペーサ２０と、カバーベース３０と、中心にモータ４８が取り付けられ、エレメント６０を介した室内の空気２の排出と室外の空気３の吸入とを同時に行う送風ファン４０と、室内の空気２と室外の空気３とを層状に整流させるシュラウド５０と、シャフト８０，８０・・を介してシュラウド５０と共にエレメント６０を一体に固定する導風盤９０と、屋外側で室内外の空気が混合される事を防止する屋外側カバー１００とで構成される。
【００２２】
このうち、図５に示すように、室内側カバー１０は、周方向に亘って複数のスリットが形成されるドーム状のもので、中心の吸込口１１と傘部分の吹出口１２とで構成される。
【００２３】
次に、図６に示すように、スペーサ２０は、中心に吸込口２１が形成されるリング状の部材で、外周には、カバーベース３０に内側から係止する外周側係止溝２３，２３・・が、内周には、内周側係止溝２４，２４・・が設けられており、外周と内周との間には、吹出口２２，２２・・が設けられている。
【００２４】
また、図７に示すように、カバーベース３０は、円盤３１の中央にモータ固定孔３３が穿設されており、その周縁には吸込口３８，３８・・が設けられている。そして、図８に示すように、これら吸込口３８，３８・・の外側には、スペーサ２０をカバーベース３０上に固定すると、吹出口２２，２２・・と同じ位置に吹出口３５，３５・・が位置する。他にも、外周側係止溝２３，２３・・に係止する外周側係止突起３２，３２・・と、内周側係止溝２４，２４・・に係止する内周側係止突起３６，３６・・とが設けられている。
また、外周側係止突起３２，３２・・の外側には、ネジを挿入して室内側カバー１０を固定するカバー固定孔３４，３４・・と、シュラウド５０を固定するシュラウド用ボルト孔３７，３７・・とが設けられている。
【００２５】
次に、図９（ａ）（ｂ）に示すように、送風ファン４０は、外周側リング４１と、この外周側リング４１より小径の内周側リング４３とが同心円上に配され、外周側リング４１と内周側リング４３との間には、内周フィン４４，４４・・が設けられ、外周側リング４１の外側には、内周フィン４４，４４・・と逆向きの外周フィン４２，４２・・が設けられている。また、内周側リング４３には、底部４７に軸受け部４５と軸孔４６とが設けられている。
【００２６】
次に、図１０（ａ）に示すように、シュラウド５０は、筒状のケース本体５１と、このケース本体５１内で裾拡がり状（ラッパ状）に形成される導風壁５４とで構成される。
このうち、ケース本体５１は、外周側に、カバーケース３０を固定する凸部５２，５２・・が設けられており、図１０（ｂ）に示すように、内周側には、内壁５３と、シャフト８０，８０・・の一方の端部を固定するボルト孔５５，５５・・と、底部５８とが設けられている。そして、図１０（ｃ）に示すように、この底部５８内には、吸込口５６と、吸込口５６の左右に吹出口５７，５７とが設けられている。他にも、底部５８の他の部分には、放熱用のフィンが設けられている。
また、導風壁５４は、接続口５９が送風ファン４０の外周側リング４１の直径と同じ大きさに形成されている。
【００２７】
他にも、図１１に示すように、エレメント６０は、発泡ポリエチレン製のケース６１内に排気側の素子版６８と吸気側の素子版７５とが交互に積層されたものである。また、ケース６１の両端には、開口枠６２，６２が取り付けられており、これら開口枠６２，６２内には、保持部材６３，６３・・により、素子版６８，６８・・と素子版７５，７５・・とが固定されている。
【００２８】
次に、図１２（ａ），１３に示すように、素子版６８には、屋内の空気２ｂが流入する方向と直交する方向に複数の溝が形成され、屋内の空気２ｂの流れを規制するセパレータ６４と、湿気や熱を透過可能とする透湿膜シート６６とで構成し、左端の中央には、屋内の空気２ｂが流れ込む吸込口６９が、右端の上下には、屋内の空気２ｃ，２ｃが流出する排気口７０，７０とが形成されている。
他にも、セパレータ６４の吸込口６９には上下に切り欠き６５，６５が、排気口７０，７０の上下にも、切り欠き６５，６５・・が設けられている。同様に、透湿膜シート６６にも、セパレータ６４を重ね合わせた時に、吸込口６９と排気口７０，７０と同じ位置に切り欠き６７，６７・・が設けられている。
【００２９】
一方、図１２（ｂ）に示すように、素子版７５には、屋外の空気３ａが流入する方向と直交する方向に複数の溝が形成され、屋外の空気３ａの流れを規制するセパレータ７１と、湿気や熱を透過可能とする透湿膜シート７３とで構成し、右端の中央には、屋外の空気３ａが流れ込む吸込口７６が、左端の上下には屋外の空気３ｂ，３ｂが流出する吹出口７７，７７とが形成されている。
他にも、セパレータ７１の吸込口７６には切り欠き７２，７２が、吹出口７７，７７にも切り欠き７２，７２・・が設けられている。同様に、透湿膜シート７３にも、セパレータ７１を重ね合わせた時に、吸込口７６と吹出口７７，７７と同じ位置に切り欠き７４，７４・・が設けられている。
【００３０】
次に、図１４に示すように、導風盤９０は、円盤状のプレート９１の内枠９４内の左右に仕切壁９５，９５が設けられており、中央の吸込口９６と左右の排気口９７，９７とが形成されている。また、シャフト８０，８０・・の他方の端部を固定するボルト孔９３，９３・・が設けられている。他にも、プレート９１の表面側で他の部分には、放熱用のフィンが設けられている。
【００３１】
また、図４に示すように、屋外用カバー１００は、プレート１０１の中央に、導風盤９０の吸込口９６に接続される枠部１０２が形成されており、この枠部１０２内には、吸気口１０３が設けられている。
【００３２】
このようにして構成される全熱交換器１は、以下のように組み立てられる。
まず初めに、図８に示すように、カバーベース３０上にスペーサ２０を載置し、外周側係止溝２３には外周側係止突起３２を、内周側係止溝２４には内周側係止突起３６を係止させる。そして、カバーベース３０に室内側カバー１０を載置し、カバー固定用孔３４，３４・・に裏側からネジを挿入して螺合すると、スペーサ２０が取り付けられた状態のカバーベース３０に、室内側カバー１０が取り付けられることとなる。
他にも、送風ファン４０の軸受け部４５内にモータ４８の軸部分を挿入した後、モータ４８の本体部分をカバーベース３０のモータ固定孔３３に裏側から挿嵌する。
【００３３】
次に、図１２（ａ）に示すように、セパレータ６４を透湿膜シート６６上に載置して、室内の空気２ｂが流入する素子版６８を形成する。一方、図１２（ｂ）に示すように、セパレータ７１を透湿膜シート７３上に載置して、室外の空気３ａが流入する素子版７５を形成する。
そして、図１３に示すように、素子版６８，７５を交互に積層した後、図１１に示すように、ケース６１内に配置し、このケース６１の両端に開口枠６２，６２を取り付ける。その後、素子版６８の切り欠き６５，６７と、素子版７５の切り欠き７２，７４とが重なる位置に保持部材６３，６３・・を両端から差し込んで固定すると、エレメント６０が組み立てられることとなる。
【００３４】
次に、図４に示すように、このエレメント６０の四隅にシャフト８０，８０・・を配置し、この状態でシュラウド５０と導風盤９０とでエレメント６０の両端を挟持する。この時、図１０に示すシュラウド５０のボルト孔５５，５５・・内にネジを挿入し、シャフト８０，８０・・の一方の端部に螺合する。一方、図１４に示す導風盤９０のボルト孔９３，９３・・内にも裏側からネジを挿入し、シャフト８０，８０・・の他方の端部に螺合する。その後、屋外用カバー１００の枠部１０２を、吸込口９６に接続する。
【００３５】
次に、シュラウド５０の突起５２，５２・・にネジを挿入して、カバーベース３０のシュラウド用ボルト孔３７，３７・・に螺合すると、図１に示すように、全熱交換器１が組み立てられることとなる。一方、分解は上記と逆の手順で行う。
【００３６】
次に、全熱交換器１による室内外の空気間による熱交換は、以下のようにして行われる。
先ず初めに、ダクト内に設置される全熱交換器１では、モータ４８によって送風ファン４０が回転すると、図２に示すように、内周フィン４４によって矢印が示す方向に内周側対向流が発生し、室内の空気２ａ，２ａ・・が室内側カバー１０の吸込口１１から全熱交換器１内に吸い込まれることとなる。
この時、図８に示すように、室内用カバー１０内には、スペーサ２０がカバーベース３０に取り付けられていることから、屋内の空気２ａ，２ａ・・がスペーサ２０の吸込口２１からカバーベース３０の吸込口３８へ流れ込むこととなる。その後、屋内の空気２ａ，２ａ・・は、吸込口３８から送風ファン４０内へと吸い込まれ、この送風ファン４０の外周側リング４１と内周側リング４３との間を通過する。この時、外周側リング４１が導風壁５４とほぼ同じ直径であることから、屋内の空気２ｂは導風壁５４内で集束し、吸込口５６へと送られた後、素子版６８の吸込口６９に流れ込むこととなる。
【００３７】
次に、図１２（ａ）に示すように、エレメント６０の素子版６８内では、屋内の空気２ｂが、矢印が示すように左端中央の吸込口６９から素子版６８内部に流れ込むと、セパレータ６４によって屋内の空気２ｂの流れ込む方向と直交する方向に分かれて、屋内の空気２ｂから熱や湿気が透湿膜シート６６に透過することとなる。その後、屋内の空気２ｃ，２ｃが、右端上下の排気口７０，７０から排出される。
そして、屋内の空気２ｃ，２ｃが排気口７０，７０の外へ送り出されると、導風盤９０の排気口９７，９７から屋外用カバー１００へと流れ込む。屋外用カバー１００には、吸込口９６の周りに枠部１０２が接続されていることから、屋内の空気２ｃ，２ｃが吸込口９６に流れ込むことはなく、そのまま上下方向に送り出され、屋外に排気されることとなる。
【００３８】
一方、送風ファン４０には、内周フィン４４と逆向きの外周フィン４２が設けられていることから、送風ファン４０が回転すると、図３に示すように、内周側対向流と逆方向で矢印が示す方向に外周側対向流が同時に発生し、屋外の空気３ａが屋外用カバー１００の吸気口１０３から導風盤９０の吸込口９６内に吸い込まれ、全熱交換器１内に流れ込むこととなる。そして、屋外の空気３ａが全熱交換器１内に流れ込むと、素子版７５の吸込口７６に送り込まれることとなる。
【００３９】
次に、図１２（ｂ）に示すように、エレメント６０の素子版７５内では、矢印が示すように屋外の空気３ａが右端中央の吸込口７６から素子版７５内部に送り込まれると、セパレータ７１によって屋外の空気３ａの流れ込む方向と直交する方向に分かれる。そして、屋内の空気２ｂから透湿膜シート６６に透過した熱や湿気が、透湿膜シート７３によって屋外の空気３ａに発散される。その後、屋外の空気３ｂ，３ｂは、左端上下の吹出口７７，７７から排出される。
そして、屋外の空気３ｂ，３ｂが吹出口７７，７７の外に排出されると、シュラウド５０の吹出口５７，５７に流れ込む。シュラウド５０には、内壁５３と導風壁５４とが設けられていることから、これらの間を流れた後、送風ファン４０の外周フィン４２側へと吸い込まれることとなる。
そして、屋外の空気３ｂ，３ｂが、この送風ファン４０の外周側リング４１と、シュラウド５０のケース本体５１内周との間を流れると、カバーベース３０の吹出口３５に送風されることとなる。そして、屋外の空気３ｃ，３ｃは、スペーサ２０の吹出口２２に流れ込んだ後、室内側カバー１０の吹出口１２から屋内に送風されることとなる。
これらにより、屋内の空気２（２ａ〜２ｃ）の熱や湿度が、エレメント６０によって屋外の空気３（３ａ〜３ｃ）に発散されることから、屋内の空気２の利用が可能となる。
【００４０】
上記の如く構成される全熱交換器１は、外周フィン４２とその外周フィン４２と逆向きの内周フィン４４とを設けた送風ファン４０が設けられており、その送風ファン４０を回転させることによって、エレメント６０を介した室内の空気２の排出と室外の空気３の吸入とを同時に行うことにより、１つのモータ４８で同軸方向に対向流を発生させることから、従来の２つのモータで対向流を発生させることに比べてコストを削減し、省エネルギー化を図ることも可能である。
【００４１】
また、送風ファン４０は、外周側リング４１と、この外周側リング４１より小径の内周側リング４３とが同心円上に設けられ、外周側リング４１の外側には外周フィン４２が設けられ、外周側リング４１と内周側リング４３との間には、外周フィン４２と逆向きに内周フィン４４が設けられていることにより、ダクト内に設置可能であり、空気２，３が交換器内を直交しないことで熱交換の性能が高く、更に集中制御が不要である。
【００４２】
他にも、エレメント６０は、中央に室内の空気２が流入する層と、この層の左右に室外の空気３，３が流入する層とで三層を形成し、室内の空気２が流入する層には吸込口６９が形成され、室外の空気３が流入する層には吸込口７６が形成されており、室内外の空気２，３を分離させるシュラウド５０は、少なくとも円筒状のケース本体５１と、このケース本体５１内に設けられる導風壁５４とで構成し、導風壁５４の一方に設けられる接続口５９が、外周側リング４１の直径と同じ大きさに形成され、接続口５９を外周側リング４１に接続すると、導風壁５４の内側では、室内の空気２が吸込口６９に送風され、導風壁５４の外側では、室外の空気３が吹出口７６に送風されてなることにより、室内の空気２と室外の空気３とを層状に整流させることが可能となる。
【００４３】
また、湿気や熱の交換を行う素子版６８は、空気の流れを規制するセパレータ６４と、空気内の湿気や熱を透過可能とする透湿膜シート６６とで構成し、素子版７５は、空気の流れを規制するセパレータ７１と、空気内の湿気や熱を透過可能とする透湿膜シート７３とで構成し、室内の空気２が流入する素子版６８と、室外の空気３が流入する素子版７５とを交互に積層してエレメント６０が構成されてなることにより、室内の空気２と室外の空気３とを交互に積層した対向流にすると共に、各層内の流れを均一化することが可能となり、熱交換を効率良く行うことが可能となる。
【００４４】
なお、本発明にかかる全熱交換器は、上記した実施の形態に何ら限定されるものではなく、本発明の趣旨を逸脱しない範囲で、シュラウドやスペーサ、カバーベース、屋外側カバー等の形状や大きさを適宜変更することができる。
【００４５】
例えば、シュラウド５０は、接続口５９が、外周側リング４１の直径と同じ大きさに形成され、導風壁５４内で空気２が集束される構造であれば、裾拡がり状である必要はなく、他の形状であっても良い。
【００４６】
また、ファン４０が回転すると、図２に示すように、内周フィン４３では、室内の空気２を室外に送り出す流れを発生させる一方、図３に示すように、外周フィン４２では、室外の空気３を室内に送り出す流れを発生させる構造であるが、ファン４０の回転を反転させても良い。
【００４７】
他にも、室内外の空気を分離する仕切り板１１４と、この仕切り板１１４を挟んで表裏に設けられる２つのシロッコファン１１１，１１２とを有し、シロッコファン１１１，１１２を回転させることによって、エレメント１２０を介した室内の空気２ｄの排出と室外の空気３ｄの吸入とを同時に行うことにより、１つのモータ１１３で対向流を発生させることから、従来の２つのモータで対向流を発生させることに比べてコストを削減し、省エネルギー化を図ることが可能である。
【００４８】
この場合、より具体的には、図１５に示すように、シュラウド１１０のケース本体１１５内には、シロッコファン１１１，１１２が、屋内の空気２ｅや屋外の空気３ｅの流れる方向と直交する方向で、仕切り板１１４を挟んで表裏に設けられている。
このうち、ケース本体１１５は、室内の空気２ｄを吸い込む吸込口１１６が側面に形成され、左端には屋外の空気３ｆを吐き出す吐出口１１９が形成されている。他にも、右端には、仕切り板１１４を挟んで上方には、室内の空気２ｅを送り出す排気口１１７が、下方には、屋外の空気３ｅを吸い込む吸込口１１８が形成されている。また、ケース本体１１５の右側の壁内には、エレメント１２０が配置されている。
【００４９】
この構造において、モータ１１３によってシロッコファン１１１を回転させると、室内の空気２ｄが吸込口１１６からケース本体１１５内に吸い込まれ、室内の空気２ｅが排気口１１７からエレメント１２０内へと送り込まれる。
【００５０】
一方、シロッコファン１１２は、仕切り板１１４を挟むようにしてシロッコファン１１１と表裏に設けられていることから、モータ１１３によって回転させると、室外の空気３ｄがエレメント１２０内に吸い込まれる。この時、エレメント１２０内では、室内の空気２（２ｄ〜２ｅ）から透過した熱や湿気が、屋外の空気３（３ｄ〜３ｅ）に発散されることとなる。その後、屋外の空気３ｅが、吸込口１１８からケース本体１１５内へと流れ込み、シロッコファン１１２によって室外の空気３ｆが吐出口１１９から室内に送り込まれる。
【００５１】
次に、図１６に示すように、エレメント１２０は、発泡ポリエチレン製のケース１２１内に排気側の素子版１２８と吸気側の素子版１３５とが交互に積層されたものである。また、ケース１２１の両端には、開口枠１２２，１２２が取り付けられており、これら開口枠１２２，１２２内には、保持部材１２３，１２３により、素子版１２８，１２８・・と素子版１３５，１３５・・とが固定されている。
【００５２】
このうち、図１７（ａ），１８に示すように、素子版１２８には、屋内の空気２ｅが流入する方向と直交する方向に複数の溝が形成され、屋内の空気２ｅの流れを規制するセパレータ１２４と、湿気や熱を透過可能とする透湿膜シート１２６とで構成し、左端下方には、屋内の空気２ｅが流れ込む吸込口１２９が、右端上方には、屋内の空気２ｆ，２ｆが流出する排気口１３０が形成されている。
他にも、セパレータ１２４の吸込口１２９には切り欠き１２５が、排気口１３０にも、切り欠き１２５が設けられている。同様に、透湿膜シート１２６にも、セパレータ１２４を重ね合わせた時に、吸込口１２９と排気口１３０と同じ位置に切り欠き１２７，１２７が設けられている。
【００５３】
一方、図１７（ｂ），１８に示すように、素子版１３５にも、屋外の空気３ｄが流入する方向と直交する方向に複数の溝が形成され、屋外の空気３ｄの流れを規制するセパレータ１３１と、湿気や熱を透過可能とする透湿膜シート１３３とで構成し、右端下方には、屋外の空気３ｄが流れ込む吸込口１３６が、左端の上方には屋外の空気３ｅが流出する吹出口１３７が形成されている。
他にも、セパレータ１３１の吸込口１３６には切り欠き１３２が、吹出口１３７にも切り欠き１３２が設けられている。同様に、透湿膜シート１３３にも、セパレータ１３１を重ね合わせた時に、吸込口１３６と吹出口１３７と同じ位置に切り欠き１３４，１３４が設けられている。
【００５４】
そして、素子版１２８内では、シロッコファン１１１の回転によって屋内の空気２ｅが左端下方の吸込口１２９から素子版１２８内部に流れ込むと、セパレータ１２４によって屋内の空気２ｅの流れ込む方向と直交する方向に分かれて、屋内の空気２ｅから熱や湿気が透湿膜シート１２６に透過することとなる。その後、屋内の空気２ｆが、右端の排気口１３０から室外へ排出される。
【００５５】
一方、素子版１３５内では、シロッコファン１１２の回転によって屋外の空気３ｄが右端下方の吸込口１３６から素子版１３５内部に送り込まれると、セパレータ１３１によって屋外の空気３ｄの流れ込む方向と直交する方向に分かれる。そして、屋内の空気２ｅから透湿膜シート１２６に透過した熱や湿気が、透湿膜シート１３３によって屋外の空気３ｄに発散される。その後、屋外の空気３ｅは、左端上方の吹出口１３７から吸込口１１８へと排出される。
このようにして、屋内の空気２（２ｄ〜２ｆ）の熱や湿度が、エレメント１２０によって屋外の空気３（３ｄ〜３ｆ）に発散されることから、屋内の空気２の利用が可能となる。
【符号の説明】
【００５６】
１・・全熱交換器、２・・室内の空気、３・・室外の空気、１０・・室内側カバー、２０・・スペーサ、３０・・カバーベース、４０・・送風ファン、４１・・外周側リング、４２・・外周フィン、４３・・内周側リング、４４・・内周フィン、４８・・モータ、５０・・シュラウド、５１・・ケース本体、５３・・内壁、５４・・導風壁、５９・・接続口、６０・・エレメント、６４・・セパレータ、６６・・透湿膜シート、６８・・素子版（室内側）、６９・・吸込口、７０・・排気口、７１・・セパレータ、７２・・切り欠き（セパレータ）、７３・・透湿膜シート、７４・・切り欠き（透湿膜シート）、７５・・素子版（室外側）、７６・・吸込口、７７・・吹出口、９０・・導風盤、９６・・吸込口、９７・・排気口、１００・・屋外側カバー、１１０・・シュラウド、１１１・・シロッコファン（排気側）、１１２・・シロッコファン（吸気側）、１１３・・モータ、１１４・・仕切り板、１１５・・ケース本体、１１６・・吸込口、１１７・・排気口、１１８・・吸込口、１１９・・吐出口、１２０・・エレメント、１２１・・ケース、１２８・・素子版（排気側）、１３１・・セパレータ、１３５・・素子版（吸気側）。
【図１】
2018059692.tif 000003
【図２】
2018059692.tif 000004
【図３】
2018059692.tif 000005
【図４】
2018059692.tif 000006
【図５】
2018059692.tif 000007
【図６】
2018059692.tif 000008
【図７】
2018059692.tif 000009
【図８】
2018059692.tif 000010
【図９】
2018059692.tif 000011
【図１０】
2018059692.tif 000012
【図１１】
2018059692.tif 000013
【図１２】
2018059692.tif 000014
【図１３】
2018059692.tif 000015
【図１４】
2018059692.tif 000016
【図１５】
2018059692.tif 000017
【図１６】
2018059692.tif 000018
【図１７】
2018059692.tif 000019
【図１８】
2018059692.tif 000020